(57)【要約】【課題】従来、医用具収納パック、特に骨折用の螺子では、手術に際して、箱等から取り出す場合に、手術の部位によって、螺子の長さが異なるので、複数の中から適宜な寸法のものを選択しなければならない。このため、その選択に意外に時間を要し、特に、寸法が接近しているものにおいては、その中から、慎重に選択を行わねばならないので。かなりの時間を要していた。【解決手段】  手術用部材を収納する医用具収納パックにおいて、手術用部材は、パッケイジ内に収納されており、該手術用部材の長さ方向に沿ってゲージ部が設けられており、該ゲージを収納するパッケイジは、パック内に収容され、且つパック内の前記ゲージが収納される上面側には透明な窓が設けられており、パックの外側よりも該ゲージの寸法が直ぐ測示されるようになっていることを特徴とする滅菌処理済の医用具収納パック【選択図】図１
2009247822.tif 000002
【特許請求の範囲】
【請求項１】
手術用部材を収納する医用具収納パックにおいて、該手術用部材は、該手術用部材の長さ方向に沿ってゲージ部が設けられており、該ゲージの寸法が測示され収納されるようになっていることを特徴とする滅菌処理済の医用具収納パック
【請求項２】
手術用部材を収納する医用具収納パックにおいて、手術用部材は、パック内に不動に収納されており、該手術用部材の長さ方向に沿ってゲージ部が設けられており、該ゲージを収納するパックは、パッケイジ内に収容され、且つパック内の前記ゲージが収納される上面側には透明な窓が設けれており、パックの外側よりも該ゲージの寸法が測示され収納されるようになっていることを特徴とする滅菌処理済の医用具収納パッケイジ
【請求項３】
前記手術用部材は、骨折用固定螺子であることを特徴とする請求項1又は2記載
の滅菌処理済の医用具収納パック
【発明の詳細な説明】
【技術分野】
【０００１】
本発明は、従来、例えば骨盤などが骨折した場合に、固定する部材で治癒するまでに螺子で固定しておき、治癒した後で、該固定する部材を外していたが、その固定部材を収容する為の骨折した治療の為の滅菌処理済の医用具収納パックに関する。
【背景技術】
【０００２】
従来、例えば、図４に示すように、骨盤に対して大腿骨の根本部分を骨折した場合には、図５に示すように、太く長いねじ付きのスクリュウ・ボルトがよく使用されており、それによって骨折部分を固定していた。そして、該螺子は、滅菌処理された通常箱やパッケイジ内に収納されており、手術に際しては、そこから取り出して行なわれていた
【発明の開示】
【発明が解決しようとする課題】
【０００３】
上記の、収納法では、手術に際して、箱等から取り出す場合に、手術の部位によって、螺子の長さが異なるので、複数の中から適宜な寸法のものを選択しなければならない。このため、その選択に意外に時間を要し、特に、寸法が接近しているものにおいては、その中から、慎重に選択を行わねばならないので。かなりの時間を要していた。
【０００４】
特に，咋今、医用関係は医者の不足が叫ばれておリ、その中でも外科部門の医者不足には顕著なものがある。この選択にあたっては、ケヤレスな間違いは絶対避けねばなんらないので、繁忙を極める病院では、経験の浅い看護士も含めて、誰にとって、正確な取り出しは、緊急の課題であった。更に、医用の手術具は、予め滅菌した処理をしているので、誤って開封した場合には、再度使用する事が不可能となって廃棄しなければならないので、その為にも、正確に取り出すことが必要であった。
そこで、本発明では、その取り出しに当たり、迅速にして且つ正確な収納の箱又はパックを設けることで、手術時の緊要な要請にこたえることができるものを提供する。
【０００５】
【特許文献１】特開平８-５２１５６号公報
【課題を解決するための手段】
【０００６】
上記の課題を解決するために、本発明では、  手術用部材を収納する医用具収納パックにおいて、該手術用部材は、該手術用部材の長さ方向に沿ってゲージ部が設けられており、該ゲージの寸法が測示され収納されるようになっている滅菌処理済の医用具収納パックを提供する。
【０００７】
更に、手術用部材を収納する医用具収納パックにおいて、手術用部材は、パック内に不動に収納されており、該手術用部材の長さ方向に沿ってゲージ部が設けられており、該ゲージを収納するパックは、パッケイジ内に収容され、且つパック内の前記ゲージが収納される上面側には透明な窓が設けれており、パックの外側よりも該ゲージの寸法が測示され収納されるようになっている滅菌処理済の医用具収納パックを提供する。
【０００８】
手術用部材は、骨折用固定螺子である医用具収納パックを提供する。
【発明の効果】
【０００９】
本発明は、上記の構成により、手術に当たって、経験の浅い医用関係者にとっても、迅速に且つ誤謬なく骨折固定用の螺子をパックから選択して取り出すことができる骨折手術用螺子パックを得ることができ、医療過誤もなくなる。更に誤った取出しがなくなるので、廃棄することがなくなり、経済的な効果も生じる。
【００１０】
更に、整理にとっても、パックの外部からも簡単に目視できるので、容易に把握できるので、保管や管理も容易である。
【発明を実施するための最良の形態】
【００１１】
本発明の実施の形態を実施例に基づき、図面を参照して説明する。図１は、実施例の一つで螺子を収納するものである。
【００１２】
パッケイジ（１）は、図１の（３）に示すように、主に、骨折固定用の螺子（２）が直接収納される滅菌処理済のパック（３）内を収納するものであって、該パック（３）内には、凹部（３０１）が設けられていて、該凹部（３０１）内に殺菌された螺子（２）が収納されている。
パック（３）内へ収納される螺子（２）は、例えば、透明なカバーで覆うことも可である。この場合には、転がり落ちることもないのでしっかりと固定できる利点が有る。
パック（３）は、例えば、発泡樹脂のようなものでも形成できる。螺子（２）には、螺子部（２００）と被回転部（２０）と、ドライバーによって回転される該被回転部（２０１）の膨出した首部（２０１）とからなる。
【００１３】
螺子（２）を収納する凹部（３０１）は、図２の（３）に示すように、螺子形状に沿ったものとなって、溝内に収納されており、従って、動じないようになっている。
必要なら、図２の（１）に示すような螺子（２）の首部（２０１）（図１の（２）に示すように）を抑えるような突部（３０２）を両側から突出させて、螺子（２）を押さえつけておけば、より不動となって確実である。
【００１４】
このパック（３）には、図２の（１）に示すように、側方に、螺子（２）に沿って、平行にゲージ（４）が設けられている。このゲージ（４）により、螺子（２）の長さは、外部からの目視により直ちに知ることができることになる。
【００１５】
このパック（３）は、パッケイジ（１）内に開口部から収納する事ができる。その収納は、図１の（１）に示すように、通常の紙箱状のものであっても可である。その他、合成樹脂等の箱状のものに上から収納する形式の物であってもよい。
【００１６】
該パッケイジ（１）には、図２の（２）に示す例では、パック（３）の収納される上面（１０１）には、パック（３）に対応した位置に、パック（３）のゲージ（４）がそのまま見れるような透明な窓（１１０）が設けられれば、パック（１）の外からも取り出すことなく，ただちにその螺子（２）の長さを、外部から取り出すこともなく知ることができる利点がある。
又更に、その上面（１０１）にも、ゲージ（４）を設けておけば、パック（３）のパッケイジ（１）への入れ違いを一層防止できる（図２の（２）の左側に示すように）。
【００１７】
又、近接した螺子（４）が多い場合には、間違いやすいことがあるので、図３に示すように、その一部を扇状に広げた、一部拡大ゲージ（４０１）を拡大して表示しておくと、その長さをより正確に把握することが可能となる。つまり、使用頻度の高い螺子には、近似した寸法のものが多いので。この一部拡大ゲージ（４０１）が選択上の誤りをより防ぐことができる。
これによって、類似の長さの螺子にあっては、誤った選択を防止できる。図３の（２）に更により詳細に示されている。
【００１８】
又、図３の（３）に示すように、長さ方向によって変化する色別なゲージ（４０２）を設けることも可能である。
この場合には、例えば、７色とすれば、その色の位置にて、目視により長さを直ぐに把握することができる。実際のゲージ（４）と併用すれば、更に、迅速に正確に長さを把握することが可能となる。勿論色別のゲージは、後述するように印刷物で取り付けると便利である。
【００１９】
これらゲージ類は、例えば、図３の（４）に示すように、印刷されたゲージの紙面（４００）の裏に接着剤層（４２０）を設け、剥離しえる剥離材（４３０）を該接着層の設け、使用時には、剥がして、接着面を露出させてパックに取付けることが可能である。
この構造によって、必要に応じて、パック等に簡単に取り付けることが可能となる。
勿論印刷によって設けることも当然である。
【００２０】
以上、本発明は、骨折固定用の螺子に適用して説明したが、寸法が手術によって、変化する他の医用器材や部材にも当然適用することが可能であり、本実施例に限定されることなく、本発明の技術思想の範囲内で種々の変形が当業者によって適用可能である。
【図面の簡単な説明】
【００２１】
【図１】本発明の一実施例である医用具収納パックの概要を示す。
【図２】本発明の一実施例である医用具収納パックの実施例を示す。
【図３】本発明の医用具収納パックの他の実施例を示す。
【図４】骨折した部位の状況を示す。
【図５】上記骨折した部位に螺子によって固定した状況を示す。
【符号の説明】
【００２２】
１          パッケイジ
１０１      上面
２          螺子
２０１      首部
３          パック
３０１      凹部
３０２      突部
４          ゲージ
４２0      接着剤層
【図１】
2009247822.tif 000003
【図２】
2009247822.tif 000004
【図３】
2009247822.tif 000005
【図４】
2009247822.tif 000006
【図５】
2009247822.tif 000007